(57)【要約】【課題】原稿を任意の倍率で変倍するときであっても、原稿上の複写禁止情報や地紋パターン領域を検知して、原稿の偽造を防止すること。【解決手段】パターン検知装置１７において特定のドットパターンが検知されると、ドットパターンの画像埋め込み情報（検知信号）は地紋位置記憶装置１８に送信され、地紋位置記憶装置１８は、受信した画像埋め込み情報から、読み取られた画像データの５０％縮小変倍後のドットパターンの位置を算出し、記憶する（Ｓ１３）。次に、画像データと上記ドットパターンの位置情報を画像データ処理装置２にフィードバックする（Ｓ１４）。画像データ処理装置４は、地紋位置記憶装置１８で算出した５０％縮小変倍後のドットパターンの位置情報を基にドットパターンの位置を特定し、その個所を塗り潰して（Ｓ１６）、プロッタ装置７にて出力する（Ｓ１７）。【選択図】図４
2009290756.tif 000002
【特許請求の範囲】
【請求項１】
原稿の読取装置と、前記読取装置で読み取った画像データを所定の変倍率に基づいて変倍して出力する第一の変倍手段を備えた画像処理装置であって、
前記読み取った画像データ中の複写禁止情報を検知する検知装置と、
前記検知された画像データ中の複写禁止情報から、前記変倍後の複写禁止情報の位置情報を取得する位置情報取得手段と、
前記変倍後の画像データの複写禁止情報の位置に複写禁止処理を施す複写禁止処理手段と、を有することを特徴とする画像処理装置。
【請求項２】
請求項１に記載された画像処理装置において、
前記原稿画像又は画像データを前記検知装置がその複写禁止情報を検知可能なサイズに拡大変倍する第二の変倍手段を有し、
前記第一の変倍手段は、前記第二の変倍手段で拡大変倍された画像データを所定の倍率に縮小変倍することを特徴とする画像処理装置。
【請求項３】
請求項１に記載された画像処理装置において、
前記原稿画像を縮小変倍する第三の変倍手段を有し、
前記第一の変倍手段は、前記第三の変倍手段で縮小変倍された画像データを、前記検知装置が複写禁止情報を検知可能なサイズに拡大変倍することを特徴とする画像処理装置。
【請求項４】
請求項１に記載された画像処理装置において、
前記原稿画像又は画像データを、前記複写禁止情報を検知可能なサイズに拡大変倍する前記第二の変倍手段と、
前記原稿画像を縮小変倍する第三の変倍手段と、を有し、
前記第二の変倍手段で変倍された画像データを所定の倍率に縮小変倍するか、又は前記第三の変倍手段で縮小変倍された原稿画像の画像データを、前記検知装置が複写禁止情報を取得可能なサイズに拡大変倍するように、前記第一の変倍手段の動作を切り替える切替手段を有することを特徴とする画像処理装置。
【請求項５】
原稿を読み取る読取工程と、前記読取工程で読み取った画像データを所定の変倍率に基づいて変倍して出力する第一の変倍工程を備えた画像処理方法であって、
前記読み取った画像データ中の複写禁止情報を検知する検知工程と、
前記検知された画像データ中の複写禁止情報から、前記変倍後の複写禁止情報の位置情報を取得する位置情報取得工程と、
前記変倍後の画像データの複写禁止情報の位置に複写禁止処理を施す複写禁止処理工程と、を有することを特徴とする画像処理方法。
【請求項６】
請求項５に記載された画像処理方法において、
前記原稿画像又は画像データを、前記複写禁止情報を検知可能なサイズに拡大変倍する第二の変倍工程を有し、
前記第一の変倍工程では、前記第二の変倍工程で変倍された画像データを所定の倍率に縮小変倍することを特徴とする画像処理方法。
【請求項７】
請求項５に記載された画像処理方法において、
前記読み取った画像データを縮小変倍する第三の変倍工程を有し、
前記第一の変倍工程では、前記第三の変倍工程で縮小変倍された画像データを、前記検知工程で複写禁止情報を検知可能なサイズに拡大変倍することを特徴とする画像処理方法。
【請求項８】
原稿画像中の複写禁止情報の検知を目的とする原稿画像の第一の読取工程と、
前記第一の読取工程で読み取った原稿画像を、検知工程で検知が可能なサイズに拡大変倍する第三の変倍工程と、
前記読み取った原稿画像の画像データ中の複写禁止情報を検知する前記検知工程と、
前記検知された画像データ中の複写禁止情報から、前記変倍後の複写禁止情報の位置情報を取得する位置情報取得工程と、
原稿画像に変倍処理を施すことを目的とする原稿画像の第二の読取工程と、
前記第二の読取工程で読み取った原稿画像のを所定の変倍率で変倍する第四の変倍工程と、
前記変倍後の画像データの前記複写禁止情報の位置に複写禁止処理を施す複写禁止処理工程と、を有することを特徴とする画像処理方法。
【請求項９】
請求項５ないし８のいずれかに記載された画像処理方法の各工程を、コンピュータで実行するためのプログラム。
【請求項１０】
請求項９に記載されたプログラムを記録したコンピュータ読取可能な記録媒体。
【発明の詳細な説明】
【技術分野】
【０００１】
本発明は、地紋パターンが印刷された原稿を変倍しても原稿の偽造を防止可能な画像処理装置、画像処理方法及びその方法をコンピュータに実行させるプログラム及びこのプログラムを記録したコンピュータ読み取り可能な記録媒体に関する。
【背景技術】
【０００２】
従来、原稿に印刷された画像などの情報の漏洩を防止するためのセキュリティ対策として、その原稿を印刷する機器自体に操作制限をかけたり、原稿自体に複写禁止情報を形成し、複製データを生成できないようにする、いわゆる不正コピーを防止することが行われている。
例えば、原稿作成時に所定のパターンを原稿に印字しておき、原稿を複写するときに複写禁止情報を読み取ると、読み取った原稿画像データ（入力データ）を別の画像データ（固定値）に置換して出力し、例えば塗りつぶしがされたように画像を形成する装置が知られている。
【０００３】
また、画像を構成するドットの大きさや所定の画素当たりのドット数を調整して、読取装置に検知させる領域と検知させない領域とから成り、人間の目には一様な模様に見える背景（地紋パターン）を原稿に形成することで、複写したときに一方の領域のみが読取装置に読み取られて文字や図形（潜像）が浮かび上がるようにして、原稿の偽造防止を図ることも行われている。
【０００４】
この地紋パターンのうち、上記読取装置に検知させる領域は、原稿画像の所定の画素当たりのドット数や面積濃度によって決定するから、例えば、その原稿の画像を変倍して複写するために所定の倍率で縮小すると、所定画素当たりのドット数や面積濃度が変化して、読取装置が上記検知させる領域を適切に検知できなくなる虞がある。
この問題を解決するものとして、原稿読み取り変倍率を、地紋パターンを認識できる変倍率（原稿読み取り下限変倍率）以上に設定して、地紋パターンを認識しない状態で複写が行われることを防止する画像読取装置が知られている（特許文献１参照）。
【０００５】
また、原稿に印字される複写禁止情報や地紋パターンによる潜像の数は、原稿のサイズの大小と共に増減するため、原稿のサイズが小さいときは複写禁止情報や潜像の数が少なく、原稿を読み取ったときにこれらを誤検知したり、検知できないことが生じる虞がある。
これに対し、原稿サイズが小さすぎることにより起こる上記誤検知が生じないように、予め原稿を読み取るときに原稿サイズを検知して、原稿が所定のサイズ以下であったときは、画像データの出力を行わないようにして、複写禁止情報や潜像を検知しない状態で、或いは誤検知した状態での出力を防止する画像形成装置が知られている（特許文献２参照）。
【０００６】
しかしながら、特許文献１に記載された画像読取装置では、自動的に下限変倍率が設定されるため、地紋パターンを有する原稿を複写するとき、その変倍率以下で複写を行うことができず、特許文献２に記載された画像形成装置では、所定のサイズ以下の原稿は複写できないため、共に印刷に対する自由度が制限されるという問題がある。
【０００７】
この問題を解決するため、つまり原稿を縮小変倍しても原稿上に形成された複写禁止情報を読み取ることができるように、予め、パターン画像（複写禁止情報）を複数のサイズの画像として原稿に埋め込む（出力する）ことで、変倍後でもいずれかのサイズのパターン画像を検知することができる画像形成装置も知られている（特許文献３参照）。
しかしながら、この画像形成装置では、予め複数のサイズのパターン画像を形成しておかなくてはならず、既に通常の地紋パターンが形成されている原稿に対しては変倍複写することができない。
【特許文献１】特開２００６−１７３９０９号公報
【特許文献２】特開２００７−１６６２２２号公報
【特許文献３】特開２００７−２０１８９８号公報
【発明の開示】
【発明が解決しようとする課題】
【０００８】
本発明は、上記従来の問題に鑑みて為されたものであって、その目的は、複写禁止情報や地紋パターンが印刷された原稿を自由に縮小変倍しても、その複写禁止情報や地紋パターン領域を確実に検知して、原稿の偽造を防止することである。
【課題を解決するための手段】
【０００９】
本願の発明は、原稿の読取装置と、前記読取装置で読み取った画像データを所定の変倍率に基づいて変倍して出力する第一の変倍手段を備えた画像処理装置であって、前記読み取った画像データ中の複写禁止情報を検知する検知装置と、前記検知された画像データ中の複写禁止情報から、前記変倍後の複写禁止情報の位置情報を取得する位置情報取得手段と、前記変倍後の画像データの複写禁止情報の位置に複写禁止処理を施す複写禁止処理手段と、を有することを特徴とする。
また、本願の別の発明は、原稿を読み取る読取工程と、前記読取工程で読み取った画像データを所定の変倍率に基づいて変倍して出力する第一の変倍工程を備えた画像処理方法であって、前記読み取った画像データ中の複写禁止情報を検知する検知工程と、前記検知された画像データ中の複写禁止情報から、前記変倍後の複写禁止情報の位置情報を取得する位置情報取得工程と、前記変倍後の画像データの複写禁止情報の位置に複写禁止処理を施す複写禁止処理工程と、を有することを特徴とする。
更に、本願の別の発明は、原稿画像中の複写禁止情報の検知を目的とする原稿画像の第一の読取工程と、前記第一の読取工程で読み取った原稿画像を、検知工程で検知が可能なサイズに拡大変倍する第三の変倍工程と、前記読み取った原稿画像の画像データ中の複写禁止情報を検知する前記検知工程と、前記検知された画像データ中の複写禁止情報から、前記変倍後の複写禁止情報の位置情報を取得する位置情報取得工程と、原稿画像に変倍処理を施すことを目的とする原稿画像の第二の読取工程と、前記第二の読取工程で読み取った原稿画像のを所定の変倍率で変倍する第四の変倍工程と、前記変倍後の画像データの前記複写禁止情報の位置に複写禁止処理を施す複写禁止処理工程と、を有することを特徴とする。
また、本願の別の発明は、画像処理方法の各工程を、コンピュータで実行するためのプログラムである。
更に、本願の別の発明は、上記プログラムを記録したコンピュータ読取可能な記録媒体である。
【発明の効果】
【００１０】
本発明によれば、複写禁止情報や地紋パターンが印刷された原稿を自由に縮小変倍しても、その複写禁止情報や地紋パターン領域を検知できるため、原稿の偽造を防止しつつ変倍印刷の自由度を向上させることができる。
【発明を実施するための最良の形態】
【００１１】
以下、本発明の実施形態に係る画像処理装置について、添付した図面を参照して説明する。
図１は、本実施形態に係る画像処理装置の一例であるコピー機能・スキャナ機能・プリンタ機能・ＦＡＸ機能・ドキュメントボックス機能等の機能を有するＭＦＰ（Multi Function Peripheral）の機能ブロック図を示す図である。
【００１２】
本ＭＦＰは、原稿画像を読み取る例えばスキャナなどの読取装置１と、読取装置１で読み取ったデジタル画像データに所定の処理を施す画像データ処理装置２と、画像データ処理装置２が上記処理を途中まで行った画像データの、例えば複写禁止情報等を示す特定のドットパターンを検知するパターン検知装置１７と、画像データ処理装置２にて処理した画像データに、塗りつぶしなどの複写禁止処理を施す画像データ処理装置４と、電子データを保存する不揮発性の大容量記憶媒体であるＨＤＤ（Hard  Disc  Drive）５と、ＭＦＰ全体を制御する例えばマイクロプロセッサ等のＣＰＵ（Central  Processing  Unit）６と、必要な画像データや制御コマンド等各種データのやり取りを行うデータバスの制御装置であって、複数種のバス規格間のブリッジ機能を有しているバス制御装置３と、ＣＰＵ６が実行するプログラムや中間処理データを一時的に記憶する揮発性の記憶媒体であるメモリ７と、画像データを電子写真方式で転写紙に出力するプロッタ装置９と、プロッタ装置９に画像データをブリッヂ出力するプロッタＩ／Ｆ（インターフェース）装置８と、パターン検知装置１７で検知した後述する画像埋め込み情報である地紋のドットパターン（複写禁止情報）から、原稿画像データにおける変倍後の地紋の位置を算出（取得）し、記憶する位置情報取得手段である地紋位置情報記憶装置１８と、使用者（ユーザ）と装置とのインターフェースである操作表示装置１０と、バスと電話回線を接続する回線Ｉ／Ｆ装置１１と、バスと例えばＰＣ（パーソナルコンピュータ）等の外部装置とを接続する外部Ｉ／Ｆ装置１２と、ＣＰＵ６が実行するプログラムを記憶したＲＯＭ（Read  Only  Memory）１４と、ＲＯＭ１４と装置間をブリッジしているＳ．Ｂ．（South  Bridge）１３とから構成されている。
【００１３】
読取装置１はＣＣＤ（Charge  Coupled  Device）光電変換素子から成るラインセンサと、Ａ／Ｄ（アナログ／デジタル）コンバータと、これらの駆動回路を備え、ＭＦＰにセットされた原稿をスキャンすることで取得した原稿の濃淡画像からＲＧＢ（Red  Green  Blue）各８ビットのデジタル画像データを生成し、画像データ処理装置２に出力する。また、この読取装置１は、任意の機械的変倍手段で拡大・縮小変倍した原稿画像を読み取ることができる。
画像データ処理装置２は、読取装置１から受信したデジタル画像データに対して、後述する明るさ、鮮鋭性などを予め定めた特性に統一するための所定の処理を施し、パターン検知装置１７から取得した検知信号を、上記所定の処理を施したデジタル画像データと共に、バス制御装置３を介して画像データ処理装置４に出力する。また、画像データ処理装置２は、画像データのサイズを所定の変倍率に基づいて電気的に変倍できる第一の変倍手段を備えている。
【００１４】
バス制御装置３は、例えば画像データ処理装置２，４、ＣＰＵ６とはＰＣＩ−Ｅｘｐｒｅｓｓバスで、ＨＤＤ５とはＩＤＥを拡張して規格化されているＡＴＡ（AT Attachment）バスで接続し、ＡＳＩＣ化されている。
画像データ処理装置４は、画像データ処理装置２で上記特性を統一されたデジタル画像データに対し、ユーザから指定される出力先に適した画像処理を施して出力する。本実施形態ではパターン検知装置１７で検知される後述する画像埋め込み情報に応じて、この画像データ処理装置４の画像処理の処理内容や処理パラメータが切り替わる。
【００１５】
ＨＤＤ５は、デスクトップパソコンにも使用され、デジタル画像データの記憶に加えて、デジタル画像データの付帯情報も記憶する。
メモリ７は、例えばＰＣに用いられるＤＩＭＭ（Dual  Inline  Memory  Module）などであり、複数種のバス規格間をブリッジする際の速度差や、接続された部品自体の処理速度差を緩和するために、処理するデータを一時的に記憶する。
【００１６】
ＣＰＵ６は、例えばＰＭＣ社のＲＭ１１１００（商品名）等のＣＰＵコア単体に所定の機能、例えば汎用規格Ｉ／Ｆとの接続機能や、クロスバースイッチを使ったこれらバス接続機能が集積化された（Ｉｎｔｅｇｒａｔｅｄ）ＣＰＵを使用している。
このＣＰＵ６は高速に処理を行うため、通常起動時はＲＯＭ１４に記憶されたブートプログラムにてシステムを起動するが、その後は高速にアクセス可能なメモリ７に展開されたプログラムによって処理を行う。
【００１７】
プロッタＩ／Ｆ装置８は、ＣＰＵ６に集積化されたＰＣＩ−Ｅｘｐｒｅｓｓなどの汎用規格Ｉ／Ｆを経由して送信されるＣＭＹＫ（Ｃ：シアン、Ｍ：マゼンタ、Ｙ：イエロー、Ｋ：ブラック）から成るデジタル画像データを受け取ると、プロッタ装置９の専用Ｉ／Ｆに出力するバスブリッジ処理を行う。
プロッタ装置９は、プロッタＩ／Ｆ装置８から上記デジタル画像データを受け取ると、レーザービームを用いた電子写真プロセスを用いて、転写紙に画像データを出力する。
【００１８】
Ｓ．Ｂ．１３は、ＰＣに使用されるチップセットのひとつで、汎用の電子デバイスであり、主にＰＣＩ−ＥｘｐｒｅｓｓとＩＳＡブリッジを含むＣＰＵシステムを構築する際に使用されるバスのブリッジ機能を汎用回路化したものである。
操作表示装置１０は、例えば装置の各種状態や操作方法を表示するＬＣＤ（Liquid  Crystal  Display）と、ユーザが指示を入力するキースイッチから構成され、ＰＣＩ−Ｅｘｐｒｅｓｓバス（汎用規格Ｉ／Ｆ）を介してＣＰＵ６と接続する。
【００１９】
回線Ｉ／Ｆ装置１１は、電話回線を介してＦＡＸ１５と接続しており、これによりＦＡＸ１５と各種データの送受信を行うことができる。
外部Ｉ／Ｆ装置１２は、ネットワーク（イーサネット（登録商標））を介してＰＣ１６と接続しており、これによりＰＣ１６と各種データの送受信を行うことができる。また、ユーザは、ＰＣ１６にインストールされたアプリケーションソフトやドライバを介して、本ＭＦＰに対して各種制御や画像データの入出力を行うことができる。
【００２０】
パターン検知装置１７は、画像データ処理装置２でデータ処理を途中まで行った画像データから特定のドットパターンを検知したときは、その画像データからドットパターンが表している画像埋め込み情報を抽出し、その画像埋め込み情報に応じた値を画像データ処理装置２に送信する。特定のドットパターンを検知しなかったときは、画像データ処理装置２に「０」という値を送信する。
【００２１】
次に、読み取った画像を変倍する際の図１に示した画像データ処理装置２，４の処理について説明する。
図２は、変倍処理時における画像データ処理装置２の処理を説明する図である。
MFPでは、前述したようにコピー機能・スキャナ機能・プリンタ機能・FAX機能・ドキュメントボックス機能など様々な機能があるが、どれも出力手段以外はほとんど同じ動作であるので、以下では代表してコピー動作の実施例を述べる。
【００２２】
図示のように、まず、読取装置１から読み取られたＲＧＢ画像データが、画像データ処理装置２に出力されると、画像データ処理装置２は、γ（ガンマ）変換を行ってＲＧＢ画像データの明るさを予め定めた特性に統一、即ち、例えばＲＧＢ画像データの明るさを明度リニアにγ変換する。
次に、明るさが統一されたＲＧＢ画像データの鮮鋭性を、予め定めた特性に統一、即ち、例えば基準チャートをスキャンしたときに、線数毎に対して予め定めたMTF特性値になるように変換（フィルタ処理）する。
【００２３】
続いて、ＲＧＢ画像データの色を予め定めた特性に統一、即ち、例えば色空間がＡｄｏｂｅ−ＲＧＢの色空間になるように色変換する。
また、ＲＧＢ画像データのサイズ（解像度）を予め定めた特性に統一、即ち、例えば６００ｄｐｉ（dot per inch）に変倍処理する。
以上で説明したように、明るさ、鮮鋭性、色、サイズが予め定めた特性に統一されたＲＧＢ画像データは、ＰＣＩ−Ｅｘｐｒｅｓｓバスを介してバス制御装置３に送信される。
【００２４】
図３は、画像データ処理装置４の処理を説明する図である。
画像データ処理装置４は、図１に示したパターン検知装置１７から受信する検知信号の種類によって処理動作が異なる。
図示のように、画像データ処理装置４は、パターン検知装置１７から受信した検知信号が「０」、即ちＲＧＢ画像データから特定のドットパターンを検知しなかったときは、まず、ＲＧＢ画像データの鮮鋭性に関して図１に示したプロッタ装置９で出力するときの再現性が向上するように、フィルタ処理して補正する。即ち、例えば、文書を印刷するような文字モードでは文字を明瞭にするために鮮鋭化処理を施し、写真画像を印刷するような写真モードでは滑らかに階調性を表現するため平滑化処理を施すことで、所望するモードに従った鮮鋭化、平滑化処理を施す。
【００２５】
次に、画像データ処理装置４は、ＲＧＢ画像データ（ＲＧＢ各８ビットのデータ）を、図１に示したプロッタ装置９に適した色空間であるＣＭＹＫ各８ビットのデータに色変換する。なお、このときユーザの所望するモード情報（文字モードや写真モードなど）に従って彩度も同様に調整する。
色変換されたＣＭＹＫ画像データは、図１に示したプロッタ装置９の再現性能に従ってサイズ（解像度）変換（変倍処理）が行われる。なお、この変倍処理は単純変倍の機能を備えている。
【００２６】
続いて、画像データ処理装置４は、変倍処理されたＣＭＹＫ画像データを、図１に示したプロッタ装置９の階調処理能力に従って、例えば、ＣＭＹＫ各２ビットに疑似中間調処理の一つである誤差拡散法を用いて階調数変換処理（階調処理）を行う。
なお、画像データからは特定のドットパターンが検知されなかった場合は、塗りつぶし処理は行わず、図１に示したバス制御装置３に送信する。
【００２７】
一方、画像データ処理装置４が、パターン検知装置１７から受信した検知信号が「０」ではなく、既に説明したように、ドットパターンが表している画像埋め込み情報に応じた値であるとき（つまり、パターン検知装置１７がＲＧＢ画像データから特定のドットパターンを検知したとき）は、ＲＧＢ画像データに上述したフィルタ処理、色変換、変倍処理、階調処理を行うと共に、図１に示したＣＰＵ６を介して地紋位置記憶装置１８から受信した地紋位置情報に基づいて、画像データ上の判読不可能領域（特定のドットパターンが存在する領域（後述する図５参照））と合致した画素を塗りつぶす（塗りつぶし処理）。
このように、特定のドットパターンを検知したときに、その領域を塗りつぶすことによって、原稿の偽造が防止できる。
なお、ここでの塗りつぶし処理は、判読不可能領域を黒や白に塗りつぶしてもよいし、ドット状のデータを付加してもよい。
【００２８】
次に、本実施形態において、通常の、即ち変倍処理を伴わないコピー処理を実行するときの各装置の処理の流れについて説明する。
図１において、まず、ユーザは原稿を読取装置１にセットし、ユーザの所望するモード等の設定とコピー開始を指示する入力を操作表示装置１０に行う。
操作表示装置１０はユーザから入力された情報を、機器内部の制御コマンドデータに変換する。変換された制御コマンドデータはＰＣＩ−Ｅｘｐｒｅｓｓバスを介してＣＰＵ６に通知（送信）される。
【００２９】
ＣＰＵ６は、コピー開始を指示する制御コマンドデータに従って、ＲＯＭ１４からコピー動作プロセスのプログラムを読み込んで実行し、コピー動作に必要な設定や動作を順に行う。
即ち、まず読取装置１において原稿をスキャンし、得られたＲＧＢ各８ビットのデジタル画像データは、画像データ処理装置２により、予め決められた特性に統一するための上述した処理（図２参照）が施される。
【００３０】
その処理の途中のデータをパターン検知装置１７に取り込み、特定のドットパターンがあるか否かを検知する。
パターン検知装置１７は、特定のドットパターンを検知しなかったときは「０」を、検知したときは画像埋め込み情報の値を、検知信号として画像データ処理装置２に送信し、画像データ処理装置２は、予め定められた特性に統一された画像データと、上記検知信号とをバス制御装置３に送信する。
【００３１】
バス制御装置３は画像データ処理装置２からＲＧＢ画像データと検知信号を受け取ると、ＣＰＵ６を介してメモリ７にＲＧＢ画像データと検知信号を蓄積する。
メモリ７に蓄積されたＲＧＢ画像データは、ＣＰＵ６及びバス制御装置３を介して、画像データ処理装置４に送信される。その際、ＣＰＵ６は検知信号（画像埋め込み情報）の値に応じて、画像データ処理装置４のレジスタの値を変更する。
【００３２】
画像データ処理装置４は、既に説明したように、受け取ったＲＧＢ画像データをプロッタ出力用のＣＭＹＫ画像データに変換し、バス制御装置３に出力する。この画像データ処理装置４の処理内容や処理パラメータは、パターン検知装置１７からの検知信号により切り替えられる。
なお、本ＭＦＰがＦＡＸ動作を行うときは、画像データ処理装置４は受け取ったＲＧＢ画像データをモノクロ二値画像データに変換し、スキャナ動作時は、モノクロ二値・グレースケール・ＲＧＢ多値などの画像データに変換する。即ち、コピー動作と、ＦＡＸ動作やスキャナ動作の違いは、画像データ処理装置４が変換しようとする画像データの特性と出力方式が異なるのみであり、基本的な処理の流れは全て同一である。
【００３３】
バス制御装置３は、画像データ処理装置４からのＣＭＹＫ画像データを受け取ると、ＣＰＵ６を介してメモリ７に蓄積する。メモリ７に蓄積されたＣＭＹＫ画像データは、ＣＰＵ６及びプロッタＩ／Ｆ装置８を介してプロッタ装置９に送信される。プロッタ装置９は、受け取ったＣＭＹＫ画像データを転写紙に出力し、原稿のコピーを生成する。
【００３４】
（実施例１）
以上で説明した実施形態において、原稿に付した地紋が読み取れないような縮小変倍処理を行う場合について説明する。
図４は、本実施形態に係る変倍処理の流れの実施例を説明するための本ＭＦＰの機能ブロック図である。
なお、以下で説明する実施例１における本ＭＦＰ（パターン検知装置１７）では、変倍率５０％で変倍した原稿の地紋（ドットパターン）を認識（検知）することができないものとする。
【００３５】
ユーザが操作表示装置１０から変倍率５０％を指定すると、まず、読取装置１は、機械的変倍率１００％で原稿をスキャンする（Ｓ１１）。即ち、読取装置１は、読み取った画像データがパターン検知装置１７で検知可能となるように、読取原稿画像を予め拡大変倍しておく機械的変倍手段（第二の変倍手段に相当する：なお、「第二の変倍手段」は後述するように電気的変倍手段を含む。ここではそれらの変倍手段を総称する用語として用いている）を備える。
次に、スキャンした原稿の画像データに縮小変倍処理を行う前に、パターン検知装置１７は特定のドットパターンの検知を行う（Ｓ１２）。
パターン検知装置１７において特定のドットパターンが検知されると、ドットパターンの画像埋め込み情報（検知信号）はバス制御装置３を介して地紋位置記憶装置１８に送信される。
地紋位置記憶装置１８は、受信した画像埋め込み情報から、読み取られた画像データの５０％縮小変倍後のドットパターンの位置を算出し、記憶する（Ｓ１３）。
【００３６】
次に、画像データと上記ドットパターンの位置情報を画像データ処理装置２にフィードバックする（Ｓ１４）。
第一の変倍手段である画像データ処理装置２は、フィードバックされた画像データに５０％の電気的縮小変倍を行い（Ｓ１５）、その画像データをバス制御装置３を介して画像データ処理装置４に送信する。
画像データ処理装置４は、地紋位置記憶装置１８で算出した５０％縮小変倍後のドットパターンの位置情報を基にドットパターンの位置を特定し、その個所を塗り潰して（Ｓ１６）、プロッタ装置７にて出力する（Ｓ１７）。
【００３７】
なお、ステップＳ１１において、本実施形態では読取装置１にて機械的に変倍することとしているが、原稿を読み取った後に、画像データ処理装置２（これは本発明の第二の変倍手段に相当する）にて画像データを電気的に拡大変倍して、パターン検知装置１７が画像データ中の特定のドットパターンを検知できるようにしてもよい。
【００３８】
図５〜図８は、ステップＳ１３において地紋位置記憶装置１８にて変倍後の画像データのドットパターン位置を算出する方法を説明する図であり、図５は原稿の原画を、図６は、原稿の原画のドットパターンの位置（領域）を、図７は変倍後の原稿のドットパターンの位置を、図８は最終的に出力される印刷物を示す。
図５において、原稿の枠囲いの内部領域が、ドットパターンが形成されている領域（後述する領域１、領域２、領域３）を示している。
【００３９】
まず、地紋位置記憶装置１８は、ドットパターンが形成されている領域を検出し、図６に示すように、ドットパターンが形成されている領域毎に区分を行う。画像データの図中左上の頂点を、基準点の座標（０，０）とし、基準点に対して画像データの対角の位置にある頂点の座標を（Ｘ１，Ｙ１）と定め、上記領域毎に基準点に最も近い位置の座標（以下、最小座標という）と最も遠い位置の座標（以下、最大座標という）を算出し、これら各領域の位置情報を取得する。
図示のように、領域１の最小座標は（Ｘ２，Ｙ２）、最大座標は（Ｘ３，Ｙ３）、領域２の最小座標は（Ｘ４，Ｙ４）、最大座標は（Ｘ５，Ｙ５）、領域３の最小座標は（Ｘ６，Ｙ６）、最大座標は（Ｘ７，Ｙ７）とする。
【００４０】
その後、図７に示すように、５０％縮小変倍後での領域の位置やサイズ（位置情報）を算出し、記憶（取得）する。ここでは、（Ｘ’ｎ，Ｙ’ｎ）＝０．５＊（Ｘｎ，Ｙｎ）が成立する。
地紋位置記憶装置１８は、これらの取得した位置情報を画像データ処理装置２にフィードバックさせる。これにより、最終的に出力される原稿は、画像データ処理装置４によって変倍前の各領域に対応する位置が塗りつぶされる（図８参照）。即ち、この画像データ処理装置４は、変倍後のドットパターンの位置に複写禁止処理を行う複写禁止処理手段となる。
【００４１】
以上で説明したように、変倍前の原稿のドットパターンの領域の位置情報から、変倍後の原稿のドットパターンの領域の位置情報を算出し、算出した位置情報に基づいて（フィードバックして）縮小変倍後の原稿に塗りつぶしを行うから、縮小変倍率に関わらずドットパターンが存在しない領域は通常通りの出力を行い、ドットパターンの領域を塗りつぶして原稿の偽造を防止することができる。
【００４２】
（実施例２）
図９は、本実施形態に係る変倍処理の流れの別の実施例を説明するための本ＭＦＰの機能ブロック図である。
なお、以下で説明する実施例２における本ＭＦＰ（パターン検知装置１７）では、実施例１と同様、変倍率５０％で縮小変倍した原稿の地紋（ドットパターン）を認識（検知）することができないものとする。
【００４３】
ユーザが操作表示装置１０から変倍率５０％を指定すると、読取装置１は、機械的変倍率５０％で原稿をスキャンする（Ｓ２１）。ここで、読取装置１は、読取原稿画像を予め機械的に縮小変倍しておく機械的変倍手段（第三の変倍手段）を備える。
次に、第一の変倍手段である画像データ処理装置２は、５０％に縮小変倍した画像データを２００％に電気的に拡大変倍を行い（Ｓ２２）、パターン検知装置１７において特定のドットパターンの検知を行う（Ｓ２３）。このドットパターンの画像埋め込み情報は地紋位置記憶装置１８に送信される。
地紋位置記憶装置１８は、受信した埋め込み情報から、図５〜図８にて説明した算出方法で、画像データの縮小変倍後のドットパターンの位置を算出し、記憶する（Ｓ２４）。
【００４４】
画像データと、ドットパターンの位置情報を画像データ処理装置２にフィードバックする（Ｓ２５）。画像データ処理装置２は、フィードバックされた画像データに５０％の電気的縮小変倍を行い（Ｓ２６）、その画像データを、バス制御装置３を介して画像データ処理装置４に送信する。画像データ処理装置４は、地紋位置記憶装置１８で算出したドットパターンの位置情報を基に縮小変倍後のドットパターンの位置を特定し、その個所を塗りつぶして（Ｓ２７）、プロッタ装置７にて出力する（Ｓ２８）。
【００４５】
以上で説明した実施例２において、縮小変倍時は、機械的変倍での変倍率が小さいほどキャリッジの移動が早く、これに要する時間が少ないため、機械的変倍が５０％である本実施例は、実施例１に比して生産性がよい。一方、拡大変倍時は、キャリッジの移動が遅くなるため、実施例１に比して生産性が悪い。
また、印刷される画質については、縮小、拡大に関わらず、１００％の機械的変倍を除く電気的変倍のみを行っている実施例１に比して、機械的変倍と電気的変倍の両方を行っている本実施例は画質が悪い。
【００４６】
なお、ステップＳ２１においては、機械的変倍を変倍率５０％で行っているが、変倍率１００％のときに比して、上述したキャリッジの移動が速くなればよく、必ずしもこの縮小変倍率に限らない。
また、ステップＳ２２において、電気的変倍を変倍率２００％で行っているが、この電気的変倍後の画像データのサイズが、パターン検知装置１７が画像データ上のドットパターンを検知できるサイズに変倍されればよく、必ずしもこの変倍率に限らない。
【００４７】
（実施例３）
図１０は、本実施形態に係る変倍処理の流れの別の実施例を説明するための本ＭＦＰの機能ブロック図である。
なお、以下で説明する実施例３における本ＭＦＰ（パターン検知装置１７）では、実施例１及び実施例２と同様、変倍率５０％で縮小変倍した原稿の地紋（ドットパターン）を認識（検知）することができないものとする。
【００４８】
ユーザが操作表示装置１０から変倍率５０％を指定すると、読取装置１は、機械的変倍率１００％で原稿を、ドットパターンの検知を目的とした読み取りであるプレスキャン（第一の読取工程）をして（Ｓ３１）、このプレスキャンをした得た画像データに基づいて、パターン検知装置１７において特定のドットパターンの検知を行う（Ｓ３２）。
パターン検知装置１７において特定のドットパターンが検知されると、ドットパターンの画像埋め込み情報はバス制御装置３を介して地紋位置記憶装置１８に送信される。
地紋位置記憶装置１８は、図５〜図８にて説明した算出方法で、受信した埋め込み情報から読み取られた画像データの変倍後のドットパターンの位置を算出し、記憶する（Ｓ３３）。
【００４９】
次に、画像データとドットパターンの位置情報を画像データ処理装置２にフィードバックする（Ｓ３４）。
続いて、読取装置１は、読み取る画像データに変倍処理を施して出力することを目的として、ユーザの指定倍率である機械的変倍率５０％で原稿をスキャン（第二の読取工程）し（Ｓ３５）、地紋位置記憶装置１８にて検知したドットパターンの位置情報を基にドットパターンの位置を特定し、画像データ処理装置４にてその個所を塗りつぶして（Ｓ３６）、プロッタ装置７にて出力する（Ｓ３７）。
【００５０】
以上で説明したように、予め原稿のドットパターンの位置情報をプレスキャンにより取得しておくことで、再度原稿を読み取ったときに、ドットパターンの位置情報を取得するために画像データの拡大変倍を行うことなく、ユーザの指定倍率で変倍して、複写禁止処理（塗りつぶし処理）を施すことができる。
【００５１】
なお、スキャン動作を２回行う本実施例は、実施例１及び実施例２に比して縮小、拡大変倍時の共に生産性は低い。
しかしながら印刷される画質については、縮小、拡大変倍に関わらず、電気的変倍を行っている実施例１及び実施例２に比して、機械的変倍のみしか行っていない本実施例の画質は良好である。
【００５２】
（実施例４）
実施例４は、上記実施例１及び実施例２において、画像データの地紋が存在しない個所（ドットパターン以外の個所）の再現性を高めるため、図４及び図９に示した画像データ処理装置２の電気的変倍での処理を切り換えることができる。
例えば、ＭＦＰの画像出力条件が、一般に滑らかに変化する画像に対して使用されることが多い写真原稿モードであるときは、電気的変倍の方法としてコンボリューション補間が適している。
一方、一般に鮮鋭に変化する画像に対して使用されることが多い文字原稿モードであるときは、電気的変倍の方法として単純間引きが適している。
即ち、ユーザによって、写真原稿モードや文字原稿モード等の複数の画像出力条件のうち、いずれかが選択されて複写指示がなされたときに、ＣＰＵ６がその画像出力条件に適した電気的変倍の方法で変倍を実行するように、画像データ処理装置２を制御して、電気的変倍の処理方法を切り替える。
【００５３】
これにより、指定された画像出力条件に応じて、電気的変倍の方法を切り替えて変倍し、画像出力を行うから、各画像出力条件に適した画像データの出力を行い、画像データの再現性を向上させることができる。
なお、上記モードによる切り換えだけでなく、ＦＡＸやスキャナなどのアプリケーションによって電気的変倍の方法を切り換えるようにしてもよい。
【００５４】
（実施例５）
実施例５では、ユーザの指定変倍率では地紋を認識できず、上記指定変倍率の整数倍の変倍率では地紋を認識できる、即ち、例えば、ユーザが変倍率３３％を指定して複写する場合に、変倍率３３％ではＭＦＰ（パターン検出装置１７）が地紋を認識できないが、その整数倍である変倍率６６％では地紋を認識できるものとする。
同様に、上述した実施例１〜３においても、原稿読取時（実施例３の場合はプレスキャン時）の機械的変倍の変倍率をユーザの指定倍率５０％の整数倍である１００％にすることで地紋を認識できる。
この場合、指定倍率の整数倍の変倍率のパラメータ（例えば、画像の鮮鋭性（シャープさ）を向上させる係数や、文字を強調させる係数、画像を平滑化する係数等）は、指定倍率に電気的に縮小変倍するときに流用できる。従って、変倍率１００％時のパラメータは、画像データ処理装置２で変倍率５０％に電気的に縮小変倍するときに流用することができる。
【００５５】
これにより、画像データ処理装置２で電気的変倍を行うときのパラメータの作成（算出）を不要にすることができ、パラメータを算出するために要する時間を低減し、パラメータを記憶するメモリへの負担を軽減することができる。
【００５６】
（実施例６）
実施例６では、ユーザの指定した変倍率で変倍を行うと原稿のドットパターンが検知できない場合に、生産性と画質を考慮して、上記実施例１〜５において説明した様な複数の変倍処理方法のうち一つを選択して実行する。
【００５７】
図１１は、実施例６における変倍処理を示すフロー図である。
まず、ユーザが複写する原稿を、図１に示した読取装置１上に載置して（Ｓ１０１）、変倍率を指定した後、複写スタートボタンを押下して変倍複写開始指示を行う（Ｓ１０２）。
ＭＦＰの読取装置１は、原稿の複写禁止情報（ドットパターン）の読み取り（検知）を開始する（Ｓ１０３）。ここで、ユーザ指定の変倍率で複写禁止情報（ドットパターン）を読み取ることができるか否かを判定し（Ｓ１０４）、読み取ることができるときは（Ｓ１０４、ＹＥＳ）、従来と同様の方法で変倍複写を行う（Ｓ１０５）。
【００５８】
ステップＳ１０４において、ユーザ指定の変倍率では複写禁止情報（ドットパターン）を読み取ることができないときは、上述した実施例１〜５において説明した各々の変倍処理方法（方式）１〜ｎのうち一つを選択する（Ｓ１０６）。即ち、本実施形態では図中ｎ＝５となる。
選択した変倍処理方法（方式）で複写禁止情報（ドットパターン）を読み取り（Ｓ１０７、Ｓ１０８又はＳ１０９）、複写を行う（Ｓ１１０）。
【００５９】
ステップＳ１０４において、複写禁止情報（ドットパターン）を読み取ることができるか否かは、パターン検知装置１７の読み取り性能による。
また、ステップＳ１０６において、変倍処理方法の選択は、例えば、図１に示した操作表示装置１０上からユーザが任意の方法を選択するようにしてもよいし、或いはユーザが設定した画像出力条件について、生産性及び／又は画質に基づいて自動的に選択するようにしてもよい。
【００６０】
なお、図２〜図１１において説明した変倍処理等の画像処理を実行するためには、上記の処理の手順を記述したプログラムをコンピュータ（画像処理装置）に読み取らせる。また、コンピュータプログラムは、例えばＨＤＤ（ハードディスク）、ＣＤ（コンパクトディスク）、ＦＤ（フレキシブルディスク）、ＭＯ（光磁気ディスク）等の周知のコンピュータ読取可能な記録媒体に記録して、コンピュータにインストールすることができる。
【図面の簡単な説明】
【００６１】
【図１】本実施形態に係る画像処理装置の一例であるＭＦＰの機能ブロック図を示す図である。
【図２】変倍処理時における画像データ処理装置の処理を説明する図である。
【図３】変倍処理時における画像データ処理装置の処理を説明する図である。
【図４】ＭＦＰにて行う複写における変倍処理の流れの実施例を示す図である。
【図５】原稿の原画を示す図である。
【図６】原稿の原画のドットパターンの位置（領域）を示す図である。
【図７】変倍後の原稿のドットパターン位置を示す図である。
【図８】最終的に出力される変倍後の印刷物を示す図である。
【図９】ＭＦＰにて行う複写における変倍処理の流れの別の実施例を示す図である。
【図１０】ＭＦＰにて行う複写における変倍処理の流れの実施例を示す図である。
【図１１】実施例６における変倍処理を示すフロー図である。
【符号の説明】
【００６２】
１・・・読取装置、２，４・・・画像データ処理装置、３・・・バス制御装置、５・・・ＨＤＤ、６・・・ＣＰＵ、７・・・メモリ、８・・・プロッタＩ／Ｆ装置、９・・・プロッタ装置、１０・・・操作表示装置、１１・・・回線Ｉ／Ｆ装置、１２・・・外部Ｉ／Ｆ装置、１３・・・Ｓ．Ｂ．、１４・・・ＲＯＭ、１５・・・ＦＡＸ、１６・・・ＰＣ、１７・・・パターン検知装置、１８・・・地紋位置記憶装置。
【図１】
2009290756.tif 000003
【図２】
2009290756.tif 000004
【図３】
2009290756.tif 000005
【図４】
2009290756.tif 000006
【図５】
2009290756.tif 000007
【図６】
2009290756.tif 000008
【図７】
2009290756.tif 000009
【図８】
2009290756.tif 000010
【図９】
2009290756.tif 000011
【図１０】
2009290756.tif 000012
【図１１】
2009290756.tif 000013